(57)【要約】      （修正有）【課題】トリアージ対象者に接した者がトリアージ対象者のトリアージに関する情報を即座に把握することができるトリアージシステム、トリアージタグ装置及びトリアージ情報提供プログラムを提供する。【解決手段】本発明のトリアージシステム１は、トリアージを行うための１以上のトリアージ装置１０と、トリアージ対象者に付される１以上のトリアージタグ装置２０ａとを含む。トリアージ装置１０は、トリアージ対象者に対するトリアージにおいて収集された情報を文字情報として入力する文字情報入力部１０３と、文字情報をトリアージタグ装置２０ａに送信するインタフェースとを備える。トリアージタグ装置２０ａは、外部装置から文字情報を受信するインタフェース２０２と、文字情報を表示する表示部２０５とを備える。【選択図】図５
2020098371.tif 000002
【特許請求の範囲】
【請求項１】
１以上のトリアージ対象者のトリアージを行うための１以上のトリアージ装置と、前記トリアージ対象者に付される１以上のトリアージタグ装置とを含み、
前記トリアージ装置は、
前記トリアージ対象者に対するトリアージにおいて収集された情報を文字情報として入力する文字情報入力部と、
前記文字情報を前記トリアージタグ装置に送信するインタフェースとを備え、
前記トリアージタグ装置は、
外部装置から前記文字情報を受信するインタフェースと、
前記文字情報を表示する表示部とを備える、
トリアージシステム。
【請求項２】
前記トリアージタグ装置は、
前記トリアージ対象者に対するトリアージにおいて収集された情報を音声データとして入力する音声入力部と、
前記音声データを再生する音声再生部と
を備える、請求項１に記載のトリアージシステム。
【請求項３】
前記トリアージ対象者に関する前記文字情報及び前記音声データを管理する管理装置をさらに含み、
前記管理装置は、
前記トリアージ対象者の搬送に関する情報を文字情報として入力する文字情報入力部と、
前記トリアージタグ装置から前記文字情報及び前記音声データを取得するインタフェースと、
前記文字情報を表示する表示部と、
前記音声データを再生する音声再生部と
を備える、請求項２に記載のトリアージシステム。
【請求項４】
前記トリアージシステムは、２以上の災害現場において構築されることを特徴とする、請求項１〜３のいずれか１項に記載のトリアージシステム。
【請求項５】
前記トリアージタグ装置の前記表示部に表示される前記文字情報には、前記トリアージ対象者に対して行われたトリアージ日時、並びに前記トリアージ対象者の重症度、氏名、性別、年齢、既往歴、搬送日時、及び搬送先の識別情報が含まれることを特徴とする、請求項１〜４のいずれか１項に記載のトリアージシステム。
【請求項６】
トリアージ対象者に対するトリアージにおいて収集された情報を示す文字情報を受信するインタフェースと、
前記文字情報を表示する表示部と
を備え、前記トリアージ対象者に付されるトリアージタグ装置。
【請求項７】
前記トリアージタグ装置は、
前記トリアージ対象者に対するトリアージにおいて収集された情報を示す音声データを入力する音声入力部と、
前記音声データを再生する音声再生部と
を備える、請求項６に記載のトリアージタグ装置。
【請求項８】
前記表示部に表示される前記文字情報には、前記トリアージ対象者に対して行われたトリアージ日時、並びに前記トリアージ対象者の重症度、氏名、性別、年齢、既往歴、搬送日時、及び搬送先の識別情報が含まれることを特徴とする、請求項６又は７に記載のトリアージタグ装置。
【請求項９】
トリアージ対象者に付され、演算装置を備えるトリアージタグ装置において実行されるプログラムであって、前記演算装置に対し、
前記トリアージ対象者に対するトリアージにおいて収集された情報を示す文字情報を受信させるステップと、
前記文字情報を表示させるステップと
を含む、トリアージ情報提供プログラム。
【請求項１０】
前記演算装置に対し、
前記トリアージ対象者に対するトリアージにおいて収集された情報を示す音声データを入力させるステップと、
前記音声データを再生させるステップと
を含む、請求項９に記載のトリアージ情報提供プログラム。
【発明の詳細な説明】
【技術分野】
【０００１】
本発明はトリアージシステム、トリアージタグ装置及びトリアージ情報提供プログラムに関し、特に、トリアージに関する情報を提供するためのトリアージシステム、トリアージタグ装置及びトリアージ情報提供プログラムに関する。
【背景技術】
【０００２】
従来、複数の傷病者が発生した災害現場において、重症度に応じた優先順位で傷病者を搬送するためのトリアージが行われている。このようなトリアージにおいて、電子トリアージタグを利用する種々の技術が提案されている。例えば、特許文献１が開示する救急搬送先検索システムでは、傷病者の重症度を示すトリアージ分類の識別色を表示した電子トリアージタグを傷病者に装着する。
【先行技術文献】
【特許文献】
【０００３】
【特許文献１】特開２０１２―５８９６２号公報
【発明の概要】
【発明が解決しようとする課題】
【０００４】
しかしながら、特許文献１が開示する救急搬送先検索システムでは、電子トリアージタグが傷病者の重症度をトリアージ分類の識別色を表示するものの、搬送先の医療機関において傷病者の手当てを行う医療従事者等が、トリアージの際に収集された傷病者の他の情報（例えは、トリアージを行った日時や傷病者の既往歴、年齢及び氏名等）を即座に確認することができないという問題があった。特に、大規模災害等によって多数の傷病者が発生した場合、多くの医療機関が傷病者を受け入れることになるが、医療機関に導入されているシステムに依存することなく、医療従事者が、トリアージの際に収集された傷病者の情報を即座に確認できることが求められる。
【０００５】
本発明の目的は、上述した課題を鑑み、トリアージ対象者に接した者がトリアージ対象者のトリアージに関する情報を即座に把握することができるトリアージシステム、トリアージタグ装置及びトリアージ情報提供プログラムを提供することにある。
【課題を解決するための手段】
【０００６】
本発明のトリアージシステムは、トリアージを行うための１以上のトリアージ装置と、前記トリアージ対象者に付される１以上のトリアージタグ装置とを含み、前記トリアージ装置は、前記トリアージ対象者に対するトリアージにおいて収集された情報を文字情報として入力する文字情報入力部と、前記文字情報を前記トリアージタグ装置に送信するインタフェースとを備え、前記トリアージタグ装置は、外部装置から前記文字情報を受信するインタフェースと、前記文字情報を表示する表示部とを備える。
【発明の効果】
【０００７】
本発明により、トリアージ対象者に接した者がトリアージ対象者のトリアージに関する情報を即座に把握することができるトリアージシステム、トリアージタグ装置及びトリアージ情報提供プログラムを提供することができる。
【図面の簡単な説明】
【０００８】
【図１】本発明のトリアージシステムの第１の実施形態を示す概略図である。
【図２】第１の実施形態に係るトリアージ装置の詳細な構成を示すブロック図である。
【図３】第１の実施形態に係るトリアージタグ装置の詳細な構成を示すブロック図である。
【図４】第１の実施形態に係る管理装置の詳細な構成を示すブロック図である。
【図５】第１の実施形態に係るトリアージ装置及びトリアージタグ装置が有する主要な構成要素を示すブロック図である。
【図６】第１の実施形態に係るトリアージシステムが実行する処理を示すシーケンス図である。
【図７】第１の実施形態に係るトリアージタグ装置に登録される情報の一例を示す図である。
【図８】第１の実施形態に係るトリアージタグ装置に登録される情報の別の例を示す図である。
【図９】第１の実施形態に係る管理装置に登録される情報の一例を示す図である。
【図１０】本発明のトリアージシステムの第２の実施形態を示す概略図である。
【図１１】第２の実施形態に係るトリアージシステムが実行する処理を示すシーケンス図である。
【図１２】第２の実施形態に係る管理装置に登録される情報の一例を示す図である。
【図１３】本発明のトリアージシステムの第３の実施形態を示す概略図である。
【図１４】第３の実施形態に係るトリアージシステムが実行する処理を示すシーケンス図である。
【図１５】第３の実施形態に係る管理装置に登録される情報の一例を示す図である。
【発明を実施するための形態】
【０００９】
＜第１の実施形態＞
以下、図面を参照して、本発明の第１の実施形態について説明する。図１は、本発明のトリアージシステム１の第１の実施形態を示す概略図である。トリアージシステム１は、災害現場で使用されるシステムであり、トリアージ装置１０と、トリアージタグ装置２０ａ，２０ｂと、管理装置３０とを含む。
【００１０】
トリアージ装置１０は、トリアージ実施者４０がトリアージ対象者４１，４２にトリアージを行う際に使用する可搬型の装置である。トリアージ実施者が、トリアージ実施者の情報が登録されたＩＤカードをトリアージ装置１０に挿入し、トリアージの際に収集されたトリアージ対象者に関する情報（以下、「トリアージ情報」とする。）をトリアージ装置１０に入力すると、トリアージ装置１０は、トリアージ情報をトリアージタグ装置２０ａ，２０ｂに送信する。トリアージ装置１０の機能の詳細については、図２を参照して後述する。
【００１１】
トリアージタグ装置２０ａ，２０ｂは、トリアージ情報を提供するための可搬型の装置であり、トリアージ対象者に付される。トリアージタグ装置２０ａ，２０ｂは、トリアージ情報を表示することができる。トリアージタグ装置２０ａ，２０ｂの機能の詳細については、図３を参照して後述する。
【００１２】
管理装置３０は、トリアージ情報を管理する情報処理装置であり、災害現場に設営された救急救命拠点等において使用される。管理装置３０の機能の詳細については、図４を参照して後述する。
【００１３】
災害発生時には、図１に示すように、トリアージ実施者４０が、トリアージ対象者４１，４２にトリアージタグ装置２０ａ，２０ｂを付し、トリアージ装置１０を用いて、トリアージタグ装置２０ａ，２０ｂにトリアージ情報を登録する。トリアージが行われたトリアージ対象者４１，４２は、救急救命拠点に運ばれ、各トリアージ対象者のトリアージタグ装置２０ａ，２０ｂに登録されたトリアージ情報が管理装置３０に保存される。そして、当該トリアージ対象者の搬送先施設及び搬送手段が決定されると、当該トリアージ対象者の搬送先の識別情報や搬送日時が、各トリアージ対象者のトリアージタグ装置２０ａ，２０ｂに登録され、トリアージ対象者が搬送先施設５１，５２に搬送される。
【００１４】
図２は、第１の実施形態に係るトリアージ装置１０の詳細な構成を示すブロック図である。トリアージ装置１０は、制御部１００と、ＩＤカード差込部１０１と、ＩＤカード読取部１０２と、文字情報入力部１０３と、トリアージタグ装置インタフェース（Ｉ／Ｆ）１０４と、表示部１０５と、電源部１０６と、時刻計測部１０７とを備える。
【００１５】
制御部１００は、本発明のトリアージ情報提供プログラムを実行することにより、トリアージ装置１０が備える装置及び論理回路を制御する演算装置である。
【００１６】
ＩＤカード差込部１０１は、トリアージ実施者のＩＤカードを差し込むための装置である。トリアージ実施者のＩＤカードには、トリアージ実施者の識別情報（従業員番号等）、氏名、所属等のトリアージ実施者に関する情報が含まれる。ＩＤカード読取部１０２は、ＩＤカード差込部１０１に差し込まれたトリアージ実施者のＩＤカードから当該ＩＤカードに登録された情報を読み取る論理回路である。
【００１７】
文字情報入力部１０３は、トリアージ対象者に対するトリアージにおいて収集された情報を文字情報として入力するための装置である。文字情報入力部１０３の具体例としては、文字情報を入力可能なタッチパネルやキーボード等が挙げられる。トリアージ実施者は、文字情報入力部１０３を用いて、トリアージ情報を文字情報として入力することができる。入力された文字情報は、トリアージ装置１０の記憶装置（図示せず）に保存される。
【００１８】
トリアージタグ装置Ｉ／Ｆ１０４は、トリアージタグ装置２０ａ，２０ｂと通信する装置である。トリアージタグ装置Ｉ／Ｆ１０４は、トリアージタグ装置２０ａ，２０ｂから当該トリアージタグ装置２０ａ，２０ｂの識別情報を取得する。また、トリアージタグ装置Ｉ／Ｆ１０４は、トリアージ実施者が入力したトリアージ情報をトリアージタグ装置２０ａ，２０ｂに送信する。トリアージタグ装置Ｉ／Ｆ１０４は、トリアージタグ装置２０ａ，２０ｂとの間で無線によって情報を送受信することができる。
【００１９】
表示部１０５は、トリアージ装置１０の操作画面やトリアージ情報等の情報を表示するための装置である。トリアージ実施者は、表示部１０５を参照し、文字情報入力部１０３を用いてトリアージ情報を入力することができる。文字情報入力部１０３としてタッチパネルを採用する実施形態では、当該タッチパネルが、文字情報入力部１０３及び表示部１０５として機能する。
【００２０】
電源部１０６は、制御部１００の制御下でトリアージ装置１０が備える装置や電子回路に電力を供給する電池である。時刻計測部１０７は、現在の時刻情報を提供する装置である。
【００２１】
図３は、第１の実施形態に係るトリアージタグ装置２０ａの詳細な構成を示すブロック図である。以下、図３を参照して、トリアージタグ装置２０ａの構成について説明する。なお、トリアージタグ装置２０ｂもトリアージタグ装置２０ａと同じ構成を有する。
【００２２】
トリアージタグ装置２０ａは、制御部２００と、音声入力部２０１と、外部装置Ｉ／Ｆ２０２と、記憶装置２０３と、音声再生部２０４と、表示部２０５と、電源部２０６と、操作部２０７とを備える。制御部２００は、本発明のトリアージ情報提供プログラムを実行することにより、トリアージタグ装置２０ａが備える装置及び論理回路を制御する演算装置である。
【００２３】
音声入力部２０１は、トリアージ対象者に対するトリアージにおいて収集された情報を音声データとして入力するための装置である。音声入力部２０１の具体例としては、音声を入力可能なマイク等が挙げられる。トリアージ実施者は、音声入力部２０１を用いて、トリアージ情報を音声データとして入力することができる。入力された音声データは、記憶装置２０３に保存される。
【００２４】
外部装置Ｉ／Ｆ２０２は、トリアージ装置１０及び管理装置３０と通信するための装置である。外部装置Ｉ／Ｆ２０２は、当該トリアージタグ装置２０ａの識別情報をトリアージ装置１０に送信する。また、外部装置Ｉ／Ｆ２０２は、トリアージ装置１０からトリアージ対象者のトリアージ情報を受信する。さらに、外部装置Ｉ／Ｆ２０２は、管理装置３０からトリアージ対象者の搬送に関する情報（以下、「搬送情報」とする。）を受信する。外部装置Ｉ／Ｆ２０２は、トリアージ装置１０及び管理装置３０との間で無線によって情報を送受信することができる。
【００２５】
記憶装置２０３は、音声入力部２０１を介して入力された音声データと、トリアージ装置１０から受信したトリアージ情報が保存される不揮発性の記憶装置である。音声再生部２０４は、記憶装置２０３に保存された音声データを再生する装置である。
【００２６】
表示部２０５は、トリアージタグ装置２０ａの操作画面やトリアージ情報等の情報を表示するための装置である。表示部２０５は、トリアージ対象者のトリアージ情報を文字情報として表示する。表示部２０５に表示される文字情報には、トリアージ情報の識別情報（トリアージ情報ＩＤ）、トリアージ対象者の識別情報（トリアージ対象者ＩＤ）、トリアージ日時、並びにトリアージ対象者の重症度、氏名、性別、年齢、既往歴、搬送日時、及び搬送先の識別情報（搬送先ＩＤ）が含まれる。また、表示部２０５は、トリアージ対象者の重症度を色情報（例えば、赤、黄、緑及び黒）として表示することができる。
【００２７】
電源部２０６は、制御部２００の制御下でトリアージタグ装置２０ａが備える装置や電子回路に電力を供給する電池である。
【００２８】
操作部２０７は、トリアージタグ装置２０ａを操作するための装置である。操作部２０７の具体例としては、災害現場での風雨や土砂等によって汚れた場合でも操作可能なボタン等が挙げられる。操作部２０７は、記憶装置２０３に保存されたトリアージ情報を表示部２０５に表示させる機能を有する。また、操作部２０７は、音声入力部２０１を介した録音の開始、停止及び終了を指示する機能を有する。
【００２９】
図４は、第１の実施形態に係る管理装置３０の詳細な構成を示すブロック図である。管理装置３０は、制御部３００と、文字情報入力部３０１と、外部装置Ｉ／Ｆ３０２と、記憶装置３０３と、音声再生部３０４と、表示部３０５と、電源部３０６と、時刻計測部３０７とを備える。
【００３０】
制御部３００は、本発明のトリアージ情報提供プログラムを実行することにより、管理装置３０が備える装置及び論理回路を制御する演算装置である。
【００３１】
文字情報入力部３０１は、トリアージ対象者の搬送情報を文字情報として入力するための装置である。文字情報入力部３０１の具体例としては、文字情報を入力可能なタッチパネルやキーボード等が挙げられる。管理装置３０の利用者は、文字情報入力部３０１を用いて、搬送先施設の識別情報等の種々の情報を文字情報として入力することができる。入力された文字情報は、管理装置３０の記憶装置３０３に保存される。
【００３２】
外部装置Ｉ／Ｆ３０２は、トリアージ装置１０及びトリアージタグ装置２０ａ，２０ｂと通信する装置である。外部装置Ｉ／Ｆ３０２は、トリアージタグ装置２０ａ，２０ｂからトリアージ情報を受信する。また、外部装置Ｉ／Ｆ３０２は、トリアージ対象者に関する搬送先施設の識別情報や搬送日時等の搬送情報をトリアージタグ装置２０ａ，２０ｂに送信する。外部装置Ｉ／Ｆ３０２は、トリアージ装置１０及びトリアージタグ装置２０ａ，２０ｂとの間で無線によって情報を送受信することができる。
【００３３】
記憶装置３０３は、文字情報入力部３０１を介して入力された情報と、トリアージタグ装置２０ａ，２０ｂから外部装置Ｉ／Ｆ３０２を介して受信したトリアージ情報が保存される不揮発性の記憶装置である。音声再生部３０４は、トリアージタグ装置２０ａ，２０ｂから受信したトリアージ情報の音声データを再生する装置である。
【００３４】
表示部３０５は、管理装置３０の操作画面やトリアージ情報等の情報を表示するための装置である。電源部３０６は、制御部３００の制御下で管理装置３０が備える装置や電子回路に電力を供給する電池である。時刻計測部３０７は、現在の時刻情報を提供する装置である。
【００３５】
図５は、第１の実施形態に係るトリアージ装置１０及びトリアージタグ装置２０ａが有する主要な構成要素を示すブロック図である。トリアージ装置１０は、主要な構成要素として文字情報入力部１０３及びトリアージタグ装置Ｉ／Ｆ１０４を備える。トリアージタグ装置２０ａは、主要な構成要素として外部装置Ｉ／Ｆ２０２及び表示部２０５を備える。
【００３６】
図６は、第１の実施形態に係るトリアージシステム１が実行する処理を示すシーケンス図である。図７は、図６に示すシーケンスにおいてトリアージタグ装置２０ａに登録される情報を示す図である。図８は、図６に示すシーケンスにおいてトリアージタグ装置２０ｂに登録される情報を示す図である。図９は、図６に示すシーケンスにおいて管理装置３０に登録される情報を示す図である。以下、図６〜図９を参照して、１つの災害現場において実行される処理のシーケンスの一例について説明する。
【００３７】
まず、トリアージ実施者４０は、トリアージ対象者４１に対して１次トリアージを行い、自身のＩＤカードが挿入されたトリアージ装置１０を用いて、トリアージ対象者４１のトリアージ情報の文字情報及び音声データの少なくとも一方を入力する。そして、トリアージ実施者４０は、トリアージ装置１０及びトリアージタグ装置２０ａの間の通信を実行させる。具体的には、トリアージタグ装置２０ａは、自機の識別情報（ＴＧ００１）をトリアージ装置１０に送信する。トリアージ装置１０は、トリアージタグ装置２０ａから識別情報を受信すると、当該トリアージタグ装置２０ａの識別情報とトリアージ実施者４０のＩＤカードの識別情報（ＩＤＣ００１）を用いて、トリアージ情報の識別情報（ＩＤＣ００１：：ＴＧ００１）を作成すると共に、トリアージ対象者４１の識別情報（ＶＣ００１）を作成する。そして、トリアージ装置１０は、トリアージ対象者４１のトリアージ情報（トリアージ日時、重症度、氏名、性別、年齢及び既往歴等）を、トリアージ情報の識別情報及びトリアージ対象者４１の識別情報と共にトリアージタグ装置２０ａに送信する。トリアージタグ装置２０ａは、これらの情報をトリアージ装置１０から受信すると、図７に示すように記憶装置２０３に保存すると共に、これらの情報を表示部２０５に表示する。トリアージ実施者４０は、これらの情報が表示されたトリアージタグ装置２０ａをトリアージ対象者４１に付する。
【００３８】
次いで、トリアージ対象者４１は、管理装置３０が設置された救急救命拠点に運ばれる。管理装置３０の利用者は、トリアージタグ装置２０ａ及び管理装置３０の間の通信を実行させる。具体的には、管理装置３０は、ステップＳ１０１において、トリアージタグ装置２０ａからトリアージ情報の識別情報、トリアージ対象者の識別情報及び重症度を取得する。管理装置３０は、これらの情報を受信すると、図９に示すように、これらの情報を、搬送待ちを示す搬送状態と共に記憶装置３０３に保存し、ステップＳ１０２において、これらの情報を表示部３０５に表示する。
【００３９】
同様に、トリアージ実施者４０は、トリアージ対象者４２に対して１次トリアージを行い、自身のＩＤカードが挿入されたトリアージ装置１０を用いて、トリアージ対象者４２のトリアージ情報の文字情報及び音声データの少なくとも一方を入力する。そして、トリアージ実施者４０は、トリアージ装置１０及びトリアージタグ装置２０ｂの間の通信を実行させる。具体的には、トリアージタグ装置２０ｂは、自機の識別情報（ＴＧ００２）をトリアージ装置１０に送信する。トリアージ装置１０は、トリアージタグ装置２０ｂから識別情報を受信すると、当該トリアージタグ装置２０ｂの識別情報とトリアージ実施者４０のＩＤカードの識別情報（ＩＤＣ００１）を用いて、トリアージ情報の識別情報（ＩＤＣ００１：：ＴＧ００２）を作成すると共に、トリアージ対象者４２の識別情報（ＶＣ００２）を作成する。そして、トリアージ装置１０は、トリアージ対象者４２のトリアージ情報（トリアージ日時、重症度、氏名、性別、年齢及び既往歴等）を、トリアージ情報の識別情報及びトリアージ対象者４２の識別情報と共にトリアージタグ装置２０ｂに送信する。トリアージタグ装置２０ｂは、これらの情報をトリアージ装置１０から受信すると、図８に示すように、記憶装置２０３に保存すると共に、これらの情報を表示部２０５に表示する。トリアージ実施者４０は、これらの情報が登録されたトリアージタグ装置２０ｂをトリアージ対象者４２に付する。
【００４０】
次いで、トリアージ対象者４２は、管理装置３０が設置された救急救命拠点に運ばれる。管理装置３０の利用者は、トリアージタグ装置２０ｂ及び管理装置３０の間の通信を実行させる。具体的には、管理装置３０は、ステップＳ１０３において、トリアージタグ装置２０ｂからトリアージ情報の識別情報、トリアージ対象者の識別情報及び重症度を取得する。管理装置３０は、これらの情報を受信すると、図９に示すように、これらの情報を、搬送待ちを示す搬送状態と共に記憶装置３０３に保存し、ステップＳ１０４において、これらの情報を表示部３０５に表示する。
【００４１】
図６に示す実施形態では、トリアージ対象者４２の重症度は重度（赤）であるため、トリアージ対象者４２が優先して搬送先施設である医療機関に搬送される。管理装置３０の利用者は、ステップＳ１０５において、管理装置３０の文字情報入力部３０１を用いて、図９に示すように、搬送情報（搬送日時、搬送先識別情報及び搬送済を示す搬送状態）を登録する。ステップＳ１０６では、管理装置３０は、搬送日時及び搬送先識別情報をトリアージタグ装置２０ｂに送信し、トリアージタグ装置２０ｂは、これらの情報を記憶装置２０３に保存すると共に、表示部２０５に表示する。この後、トリアージ対象者４２は、搬送先識別情報が示す施設へと搬送される。なお、搬送先識別情報として任意の文字（ＨＳ００１等）を使用することができるが、搬送先識別情報は表示部２０５に表示されるため、搬送先の施設名称を使用することが好ましい。
【００４２】
次に、トリアージ実施者４０は、１次トリアージで重症度が中度（黄）であったトリアージ対象者４１に対して２次トリアージを行う。２次トリアージの結果、トリアージ対象者４１の重症度が変化した場合、トリアージ実施者４０は、トリアージ装置１０を用いて、トリアージ対象者４１のトリアージ情報を更新する。具体的には、トリアージ実施者４０は、トリアージ装置１０を用いて、トリアージ対象者４１のトリアージ日時及び重症度を更新し、更新された情報を、トリアージ対象者４１に付されたトリアージタグ装置２０ａに送信する。トリアージタグ装置２０ａは、これらの情報を記憶装置２０３に保存すると共に、表示部２０５に表示する。
【００４３】
次いで、トリアージタグ装置２０ａ及び管理装置３０の間の通信を実行させる。具体的には、管理装置３０は、ステップＳ１０７において、トリアージタグ装置２０ａからトリアージ情報の識別情報、トリアージ対象者の識別情報及び重症度を取得する。管理装置３０は、これらの情報を受信すると、図９に示すように、これらの情報を、搬送待ちを示す搬送状態と共に記憶装置３０３に保存し、ステップＳ１０８において、これらの情報を表示部３０５に表示する。管理装置３０の利用者は、ステップＳ１０９において、管理装置３０の文字情報入力部３０１を用いて、図９に示すように、搬送情報（搬送日時、搬送先識別情報及び搬送済を示す搬送状態）を登録する。ステップＳ１１０では、管理装置３０は、搬送日時及び搬送先識別情報をトリアージタグ装置２０ａに送信し、トリアージタグ装置２０ａは、これらの情報を記憶装置２０３に保存すると共に、表示部２０５に表示する。この後、トリアージ対象者４１は、搬送先識別情報が示す施設へと搬送される。
【００４４】
第１の実施形態では、以下の効果を奏する。トリアージ実施者が、トリアージ装置１０の文字情報入力部１０３を用いて、トリアージ対象者に対するトリアージにおいて収集された情報を文字情報として入力すると、トリアージタグ装置Ｉ／Ｆ１０４が、当該文字情報をトリアージタグ装置２０ａ，２０ｂに送信する。そして、トリアージ対象者に付されたトリアージタグ装置２０ａ，２０ｂは、表示部２０５において当該文字情報を表示する。このため、トリアージ対象者に接した者が、当該トリアージ対象者のトリアージ情報を、視覚を通じて即座に把握することができる。特に、トリアージ対象者が医療機関に搬送された後、医療従事者が、当該トリアージ対象者のトリアージ情報を即座に把握することができるために非常に有用である。また、トリアージタグ装置２０ａ，２０ｂは、単体でトリアージ対象者のトリアージ情報を表示するため、医療機関に構築されているシステムに依存することなく、医療従事者が、トリアージ対象者のトリアージ情報を把握することができる。
【００４５】
また、トリアージタグ装置２０ａ，２０ｂは、トリアージ対象者に対するトリアージにおいて収集されたトリアージ情報を音声データとして入力する音声入力部２０１と、当該音声データを再生する音声再生部とを備える。このため、トリアージ実施者が、トリアージタグ装置２０ａ，２０ｂの音声入力部２０１を用いて、トリアージ対象者のトリアージ情報を示す音声データを入力した場合、トリアージ対象者に接した者が、当該音声データを再生することにより、当該トリアージ対象者のトリアージ情報を、聴覚を通じて把握することができる。また、トリアージ装置１０を利用しなくても、トリアージ対象者のトリアージ情報を音声データとしてトリアージタグ装置２０ａ，２０ｂに登録することができるため、トリアージ装置１０の数が限られた災害現場においても、より多くのトリアージ対象者に迅速にトリアージを行うことができる。
【００４６】
さらに、管理装置３０は、トリアージ対象者の搬送情報を文字情報として入力する文字情報入力部３０１を備える。管理装置３０の利用者が、文字情報入力部３０１を用いてトリアージ対象者の搬送情報を入力すると、管理装置３０が、当該搬送情報をトリアージタグ装置２０ａ，２０ｂに送信する。そして、トリアージタグ装置２０ａ，２０ｂは、当該搬送情報を表示部２０５に表示する。このため、トリアージ対象者に接した者が、当該トリアージ対象者の搬送情報を、視覚を通じて即座に把握することができる。この搬送情報には、搬送先の情報が含まれるため、トリアージ対象者の搬送に関わる者が、トリアージ対象者の搬送先を容易に把握することができ、搬送先を間違える等のミスを防ぐことができる。
【００４７】
さらに、トリアージタグ装置２０ａ，２０ｂに入力する情報は、トリアージ装置１０を介して入力されるため、トリアージタグ装置２０ａ，２０ｂを付されたトリアージ対象者が、入力された情報を意図的に操作することを防止し、公平性を保つことができる。
【００４８】
＜第２の実施形態＞
第２の実施形態は、３名以上のトリアージ対象者に対してトリアージが行われる例である。第２の実施形態では、重症度の高いトリアージ対象者を優先に救急救命拠点に移動する。図１０は、本発明のトリアージシステム１の第２の実施形態を示す概略図である。トリアージシステム１は、トリアージ装置１０と、トリアージタグ装置２０ａ〜２０ｅと、管理装置３０とを含む。
【００４９】
図１１は、本発明の第２の実施形態に係るトリアージシステム１が実行する処理を示すシーケンス図である。上述した第１の実施形態と同様に、トリアージ実施者４０は、トリアージ対象者４１〜４５に対して、１次トリアージを順に行い、自身のＩＤカードが挿入されたトリアージ装置１０を用いて、これらのトリアージ対象者のトリアージ情報を入力し、トリアージ情報の識別情報、トリアージ対象者の識別情報、トリアージ日時、重症度、氏名、性別、年齢、既往歴をトリアージタグ装置２０ａ〜２０ｅに登録する。トリアージタグ装置２０ａ〜２０ｅは、これらの情報を表示部２０５に表示する。トリアージ実施者４０は、トリアージタグ装置２０ａ〜２０ｅを、それぞれトリアージ対象者４１〜４５に付する。
【００５０】
図１１に示す実施形態では、トリアージ対象者４４の重症度が重度（赤）であるため、トリアージ対象者４４は、トリアージの実施直後に救急救命拠点に運ばれ、トリアージ対象者４４に付されたトリアージタグ装置２０ｄの情報が管理装置３０に登録される。そして、トリアージ対象者４４の搬送先が決定されると、管理装置３０の利用者が、搬送情報を入力し、管理装置３０が、当該搬送情報をトリアージタグ装置２０ｄに送信する。トリアージタグ装置２０ｄは、管理装置３０から受信した搬送情報を保存及び表示する。そして、トリアージ対象者４４は、決定された搬送先へと搬送される。
【００５１】
また、トリアージ対象者４５の重症度が重度（赤）であるため、トリアージ対象者４５は、トリアージの実施直後に救急救命拠点に運ばれ、トリアージ対象者４５に付されたトリアージタグ装置２０ｅの情報が管理装置３０に登録される。そして、トリアージ対象者４５の搬送先が決定されると、管理装置３０の利用者が、搬送情報を入力し、管理装置３０が、当該搬送情報をトリアージタグ装置２０ｅに送信する。トリアージタグ装置２０ｅは、管理装置３０から受信した搬送情報を保存及び表示する。そして、トリアージ対象者４５は、決定された搬送先へと搬送される。
【００５２】
次に、トリアージ実施者４０は、１次トリアージにおいて重症度が中度（黄）と判断されたトリアージ対象者４２に２次トリアージを行う。２次トリアージの結果、重症度が重度（赤）に変化した場合、トリアージタグ装置２０ｂのトリアージ情報が更新される。そして、トリアージ対象者４２は、トリアージの実施直後に救急救命拠点に運ばれ、トリアージ対象者４２に付されたトリアージタグ装置２０ｂの情報が管理装置３０に登録される。そして、トリアージ対象者４２の搬送先が決定されると、管理装置３０の利用者が、搬送情報を入力し、管理装置３０が、当該搬送情報がトリアージタグ装置２０ｂに送信する。トリアージタグ装置２０ｂは、管理装置３０から受信した搬送情報を保存及び表示する。そして、トリアージ対象者４２は、決定された搬送先へと搬送される。そして、残りのトリアージ対象者４１，４３が、重症度の高い者から順に救急救命拠点に運ばれる。なお、重症度（黒）は、死亡を意味する。トリアージの結果、管理装置３０には、図１２に示すような情報が登録される。
【００５３】
第２の実施形態では、３以上のトリアージ対象者が存在する災害現場においても、トリアージシステム１を用いて、トリアージ対象者のトリアージを行うことができる。
【００５４】
＜第３の実施形態＞
第３の実施形態は、複数の災害現場においてトリアージシステム１が使用される例である。第３の実施形態では、第２の実施形態と同様に、重症度の高いトリアージ対象者を優先に救急救命拠点に移動する。図１３は、本発明のトリアージシステム１の第３の実施形態を示す概略図であり、２箇所の災害現場においてトリアージシステム１が利用される例を示す。トリアージシステム１は、トリアージ装置１０ａ，１０ｂと、トリアージタグ装置２０ａ〜２０ｃと、管理装置３０ａ，３０ｂとを含む。
【００５５】
図１４は、第３の実施形態に係るトリアージシステム１が実行する処理を示すシーケンス図である。第１の災害現場では、トリアージ実施者４０ａが、トリアージ対象者４１，４２に対して、１次トリアージを順に行い、自身のＩＤカードが挿入されたトリアージ装置１０ａを用いて、これらのトリアージ対象者のトリアージ情報を入力し、トリアージ情報の識別情報、トリアージ対象者の識別情報、トリアージ日時、重症度、氏名、性別、年齢、既往歴をトリアージタグ装置２０ａ，２０ｂに登録する。トリアージタグ装置２０ａ，２０ｂは、これらの情報を表示部２０５に表示する。トリアージ実施者４０ａは、トリアージタグ装置２０ａ，２０ｂを、それぞれトリアージ対象者４１，４２に付する。
【００５６】
次に、トリアージ実施者４０は、１次トリアージにおいて重症度が中度（黄）であると判断されたトリアージ対象者４２に２次トリアージを行う。２次トリアージの結果、重症度が重度（赤）に変化した場合、トリアージタグ装置２０ｂのトリアージ情報が更新される。そして、トリアージ対象者４２は、トリアージの実施直後に救急救命拠点に運ばれ、トリアージ対象者４２に付されたトリアージタグ装置２０ｂのトリアージ情報が管理装置３０ａに登録される。そして、トリアージ対象者４２の搬送先が決定されると、管理装置３０ａの利用者が搬送情報を入力し、管理装置３０ａが、当該搬送情報がトリアージタグ装置２０ｂに送信する。トリアージタグ装置２０ｂは、管理装置３０ａから受信した搬送情報を保存及び表示する。そして、トリアージ対象者４２は、決定された搬送先へと搬送される。次いで、残りのトリアージ対象者４１が、救急救命拠点に運ばれる。トリアージの結果、管理装置３０ａには、図１５に示すような情報が登録される。
【００５７】
第２の災害現場では、トリアージ実施者４０ｂが、トリアージ対象者４３に対して１次トリアージを行い、自身のＩＤカードが挿入されたトリアージ装置１０ｂを用いて、トリアージ対象者のトリアージ情報を入力し、トリアージ情報の識別情報、トリアージ対象者の識別情報、トリアージ日時、重症度、氏名、性別、年齢、既往歴をトリアージタグ装置２０ｃに登録する。トリアージタグ装置２０ｃは、これらの情報を表示部２０５に表示する。トリアージ実施者４０ｂは、トリアージタグ装置２０ｃをトリアージ対象者４３に付する。
【００５８】
第２の災害現場では、トリアージ対象者４３の重症度が重度（赤）であるため、トリアージ対象者４３は、トリアージの実施直後に救急救命拠点に運ばれ、トリアージ対象者４３に付されたトリアージタグ装置２０ｃの情報が管理装置３０ｂに登録される。そして、トリアージ対象者４３の搬送先が決定されると、管理装置３０ｂの利用者が搬送情報を入力し、管理装置３０ｂが、当該搬送情報をトリアージタグ装置２０ｃに登録する。トリアージタグ装置２０ｃは、管理装置３０から受信した搬送情報を表示する。そして、トリアージ対象者４３は、決定された搬送先へ搬送される。トリアージの結果、管理装置３０ｂには、図１５に示すような情報が登録される。
【００５９】
第３の実施形態では、２つの災害現場においてトリアージシステム１を構築することができ、それぞれの災害現場においてトリアージ対象者のトリアージを行うことができる。
【００６０】
上述の例において、プログラムは、様々なタイプの非一時的なコンピュータ可読媒体（non-transitory computer readable medium）を用いて格納され、コンピュータに提供することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ）を含む。また、プログラムは、様々なタイプの一時的なコンピュータ可読媒体（transitory computer readable medium）によってコンピュータに提供されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６１】
本発明は上述した実施形態に限られたものではなく、本発明の趣旨を逸脱しない範囲で適宜変更することが可能である。例えば、トリアージシステム１は、２以上の災害現場において構築することができ、それぞれの災害現場においてトリアージ対象者のトリアージを行うことができる。
【符号の説明】
【００６２】
１              トリアージシステム
１０            トリアージ装置
２０ａ，２０ｂ  トリアージタグ装置
３０            管理装置
４０            トリアージ実施者
４１，４２      トリアージ対象者
５１，５２      搬送先施設
【図１】
2020098371.tif 000003
【図２】
2020098371.tif 000004
【図３】
2020098371.tif 000005
【図４】
2020098371.tif 000006
【図５】
2020098371.tif 000007
【図６】
2020098371.tif 000008
【図７】
2020098371.tif 000009
【図８】
2020098371.tif 000010
【図９】
2020098371.tif 000011
【図１０】
2020098371.tif 000012
【図１１】
2020098371.tif 000013
【図１２】
2020098371.tif 000014
【図１３】
2020098371.tif 000015
【図１４】
2020098371.tif 000016
【図１５】
2020098371.tif 000017
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
１以上のトリアージ対象者のトリアージを行うための１以上のトリアージ装置と、前記トリアージ対象者に付される１以上のトリアージタグ装置と、前記トリアージ対象者に関する情報を管理する管理装置とを含み、
前記トリアージ装置は、
前記トリアージ対象者に対するトリアージにおいて収集された情報を文字情報として入力する文字情報入力部と、
前記文字情報を前記トリアージタグ装置に送信するインタフェースとを備え、
前記トリアージタグ装置は、
外部装置から前記文字情報を受信するインタフェースと、
前記文字情報を表示する表示部と、
前記トリアージにおいて収集された情報を音声データとして入力する音声入力部とを備え、
前記管理装置は、
前記トリアージタグ装置から前記文字情報及び前記音声データを取得する通信インタフェースと、
前記トリアージ対象者の搬送に関する情報を文字情報として入力するための文字情報入力部と、
前記文字情報を表示する表示部と、
前記音声データを再生する音声再生部とを備える、
トリアージシステム。
【請求項２】
前記管理装置の前記通信インタフェースは、
前記トリアージ対象者の搬送に関する情報を前記トリアージタグ装置に送信し、
前記トリアージタグ装置の前記表示部は、前記トリアージ対象者の搬送に関する情報を表示する、請求項１に記載のトリアージシステム。
【請求項３】
前記トリアージタグ装置はさらに、
前記音声データを再生する音声再生部を備える、請求項１又は２に記載のトリアージシステム。
【請求項４】
前記トリアージシステムは、２以上の災害現場において構築されることを特徴とする、請求項１〜３のいずれか１項に記載のトリアージシステム。
【請求項５】
前記トリアージタグ装置の前記表示部に表示される前記文字情報には、前記トリアージ対象者に対して行われたトリアージ日時、並びに前記トリアージ対象者の重症度、氏名、性別、年齢、既往歴、搬送日時、及び搬送先の識別情報が含まれることを特徴とする、請求項１〜４のいずれか１項に記載のトリアージシステム。
【請求項６】
１以上のトリアージ対象者のトリアージを行うための１以上のトリアージタグ装置から、前記１以上のトリアージ対象者に対するトリアージにおいて収集された文字情報及び音声データを取得するステップと、
前記１以上のトリアージ対象者の搬送に関する情報を、文字情報として受け付けるステップと、
前記文字情報を表示するステップと、
前記音声データを再生するステップと
を含む、トリアージ情報提供方法。
【請求項７】
前記トリアージ対象者の搬送に関する情報を前記トリアージタグ装置に送信するステップをさらに含む、請求項６に記載のトリアージ情報提供方法。
【請求項８】
１以上のトリアージ対象者に関する情報を管理する管理装置において実行されるトリアージ情報提供プログラムであって、前記管理装置が備える演算装置に対し、
前記１以上のトリアージ対象者のトリアージを行うための１以上のトリアージタグ装置から、前記１以上のトリアージ対象者に対するトリアージにおいて収集された文字情報及び音声データを取得させるステップと、
前記１以上のトリアージ対象者の搬送に関する情報を、文字情報として受け付させるステップと、
前記文字情報を表示させるステップと、
前記音声データを再生させるステップと
を含む、トリアージ情報提供プログラム。
【請求項９】
前記トリアージ対象者の搬送に関する情報を前記トリアージタグ装置に送信させるステップをさらに含む、請求項８に記載のトリアージ情報提供プログラム。